(57)【要約】      （修正有）【課題】靴を靴箱に収納しきれないが、履物を置く平面スペースにも余裕がない。本発明は、従来使用することが無かった場所を利用するための履物ハンガーを提供する。【解決手段】玄関ドアやドア枠等の壁面に取り付ける基台１は、設置面に接地する吸盤と磁石を設けた取付け面と係着ワイヤー２を軸支するワイヤー取付けアーム６を設けた凭せ掛け面４から成り、取付け面を設置面に設置し、略Ｕの字状の係着ワイヤー２に履物を掛け置くことを特徴とする履物ハンガー。【選択図】図１
2019136457.tif 000002
【特許請求の範囲】
【請求項１】
立面に直接取り付けられる基台と、基台に装着されて履物の履き口に挿入される係着ワイヤーから成るのであり、
以下、立面を設置面としてそれに接して取付けられた状態において説明するのであるが、
基台は、横長の長方形板であり、四角隅に小さな取付け孔が設けてあり、設置面に接した面を取付け面、取付け面の反対側で靴底を持たせかけ置く面を凭せ掛け面と称するが、
取付け面において、中央部に吸盤が設けてあり、吸盤を挟んで左右の縁沿いに磁石が埋設され、吸盤が設置面にピタッと吸着した時、吸盤と磁石と取付け面は同じフラット面上にあって、基台はピッタリ接地してぐらつかないのであり、
凭せ掛け面側において、
下端縁際の、間隔を置いた両サイドに、凭せ掛け面に直交してワイヤー取付けアームが伸びており、この左右のワイヤー取付けアームの夫々の先端手前には、係着ワイヤーの根元を軸として挿入装着する小孔即ち軸支孔が設けてあり、ワイヤー取付けアーム先端には、左右相互に橋渡して固定されたバー即ちワイヤーストッパーが設けてあるのだが、
係着ワイヤーは、略Ｕの字状のワイヤー体であり、止軸片が軸支孔に装着され、止軸片の根元から載置軸片へ続き、そこから上方へ立ち上がって、係着片を成しており、
斯様に形成されたワイヤー体が、着脱自在に装着された止軸片を回転軸として、凭せ掛け面とワイヤーストッパーとの間を自在に回動可能な形で基台に結合されていることを特徴とする履物ハンガー。
【発明の詳細な説明】
【技術分野】
【０００１】  本発明は、物干し用ではなく、靴・サンダル・スリッパなどの履物を、平面スペースに並べ置く余裕がない場所で、立面に掛け置く履物ハンガーに関するものである。
【背景技術】
【０００２】  シューズボックスに収納しきれないほど靴が増えても、限られたスペースの中で新たな収納場所を作ることは難しい。
玄関に備え付けの多段式のシューズボックスは間に合わせ的なものが多く、収納足数が少ない事と、靴の大きさに合わせて棚の高さが選定できず不便であり、戸が取り付けてあるシューズボックスは中が見えず靴選定の妨げになる。
なお、上方の空間を利用して、鴨居などに掛けたポールからぶら下がる靴保持器具に靴を掛け置く発明が知られている（特許文献１参照）。
【先行技術文献】
【特許文献】
【０００３】
【特許文献１】特開平０８−２５６８９６号公報
【発明の概要】
【発明が解決しようとする課題】
【０００４】    特許文献１に示される先行技術は、上方空間にポールを橋渡しして利用する方法で、新たな靴の収納場所として考えたものであるが、ポールの使用範囲は限定されて狭く、大して靴を掛け置くことは出来ない。
その上、頭上で洗濯物のようにぶら下がる靴は鬱陶しくて外観も悪い。
また、ポールから吊革のように下がる靴保持器具は不安定で、力が加われば簡単に動き靴の掛置き・取り出しが容易では無い。
更に、サンダル・スリッパなど他の履物を掛け置くことはできず、掛け置ける靴も限定される。
本発明は以上の問題点を解決するためになされたものである。
【課題を解決するための手段】
【０００５】  土間や床に平面スペースの余裕がない場所において、壁やドアや机等の立面に取付けて履物を掛け置くためのハンガーであって、
立面に直接取付けられる基台と、基台に装着されて履物の履き口に挿入される係着ワイヤーから成る。
以下、立面を設置面としてそれに接して取付けられた状態において説明する。
基台は、約６センチ×１０センチの横長の長方形板であり、四角隅に小さな取付け孔が設けてあり、設置面に接した面を取付け面、取付け面の反対側で靴底を持たせかけ置く面を凭せ掛け面と称するのであるが、
取付け面において、中央部に吸盤が設けてあり、吸盤を挟んで左右の縁沿いに磁石が埋設され、吸盤が設置面にピタッと吸着した時、吸盤と磁石と取付け面は同じフラット面上にあって、基台はピッタリ接地してぐらつかないのであり、
凭せ掛け面側において、
下端縁際両サイドに、約６センチ間隔で、凭せ掛け面に直交し、厚み約１センチのバー即ちワイヤー取付けアームが伸びており、この左右のワイヤー取付けアームの夫々の先端手前には、係着ワイヤーの根元を軸として挿入装着する小孔即ち軸支孔が設けてあり、ワイヤー取付けアーム先端には、左右相互に橋渡して固定されたバー即ちワイヤーストッパーが設けてある。
係着ワイヤーは、略Ｕの字状のワイヤー体であり、開口部を成す左右末端部数ミリが相反的に左右外側へ折れて止軸片を成し、その止軸片がワイヤー取付けアームの内側対向面から軸支孔に装着され、止軸片の根元から凭せ掛け面に直交して、ワイヤー取付けアームの長さ方向に遠ざかって約１０数センチ地点までが靴踵の後部を載せ置く載置軸片を成し、この地点から上方へ立ち上がってＵ字谷の頂点まで約１０数センチ高さ域が、靴履き口から挿入される係着片を成しており、
斯様に形成されたワイヤー体が、着脱自在に装着された止軸片を回転軸として、凭せ掛け面とワイヤーストッパーとの間を自在に回動可能な形で基台に結合されている。
以上を特徴とする履物ハンガーである。
【発明の効果】
【０００６】  今まで見逃していた場所、即ち玄関ドアの壁面や枠部などの周辺部・部屋・机の周回部等の壁面即ち立面に履物を掛置きすることが出来る。
掛け置いた履物がよく見えるので選定がしやすく、履物の掛け置きと取出しが片手だけでできる。
また、下駄箱の天板・棚などの台面上に設置しても良いのであり、靴店等においても履物を陳列する際の新奇な趣向として期待できる。
また、基台を２つ用いて一足の靴を掛け置くが、自由な発想でレイアウトする面白みがあり、縦長で幅の狭いドアの縦枠に靴を上下に並べて掛け置く等すれば、これまで考えもしなかった場所が新たな履物収納場として利用価値を生む。
【図面の簡単な説明】
【０００７】
【図１】  本発明の斜視図
【図２】  本発明において、取付け面の吸盤を外した状態の取付け面を見せるための斜視図
【図３】  本発明の一部である係着ワイヤーの斜視図
【図４】  本発明の一部である吸盤の斜視図
【図５】  図２に示される本発明に吸盤を付けた状態の実施例を示す斜視図
【図６】  本発明の使用状態を示すイメージ図
【図７】  本発明の別の実施例を示す斜視図
【図８】  図７に示される本発明の使用状態を示すイメージ図
【図９】  図１に示される本発明において、係着ワイヤーの角度を広げた実施例の使用状態を示すイメージ図
【図１０】  本発明の更に別の実施例を示す斜視図
【図１１】  図１に示された本発明において、２方面の取付け面に吸盤を取り付けた実施例を示す斜視図
【発明を実施するための形態】
【０００８】  以下、本発明の実施の形態を説明する。
基台（１）は、約６センチ×１０センチの横長の長方形板であり、四角隅に小さな取付け孔（３）が設けてある。
設置面に接した面を取付け面（５）、取付け面（５）の反対側で靴底を持たせかけ置く面を凭せ掛け面（４）と称するのであるが、
取付け面（５）において、
図２で示すように、中央部が円形状の凹みを形成し、その凹みの中心にネジ溝形状の孔即ち吸盤設置孔（１１）が設けられる。
この吸盤設置孔（１１）に嵌脱自在に螺嵌する吸盤（１０）は、
図４で示すように、吸着面の裏側中央に吸盤設置孔（１１）に適応したボルト軸即ち吸盤ボルト軸（１２）を具え、吸盤設置孔（１１）即ち取付け面（５）に取り外し式に設置する。
吸盤（１０）を挟んで左右の縁沿いに磁石（９）が埋設され、
吸盤（１０）が設置面にピタッと吸着した時、吸盤（１０）と磁石（９）と取付け面（５）は同じフラット面上にあって、基台（１）はピッタリ接地してぐらつかない。
図１で示すように、凭せ掛け面（４）側において、
下端縁際両サイドに、約６センチ間隔で、凭せ掛け面（４）に直交し、厚み約１センチ・長さ約５．５センチのバー即ちワイヤー取付けアーム（６）が伸びており、この左右のワイヤー取付けアーム（６）の夫々の先端手前には、係着ワイヤー（２）の根元を軸として挿入装着する小孔即ち軸支孔（７）が設けてあり、ワイヤー取付けアーム（６）先端の下半分ほどを覆う幅で、左右相互に橋渡しして固定されたバー即ちワイヤーストッパー（８）が設けてある。
この長さ約５．５センチのワイヤー取付けアーム（６）を設けた基台（１）は、踵底から踵側履き口（１９）までの高さが約１０センチの靴（１６）を掛け置くのであるが、約１５センチの高さになるブーツ（１７）は、図８で示すように、長さ約１６センチのワイヤー取付けアーム（６）を設けた基台（１）を使用する。
図７で示すように、
この長さ約１６センチのワイヤー取付けアーム（６）は、先端手前に設けた軸支孔（７）の他に、軸支孔（７）がいくつか設けられており、靴の踵底から踵側履き口（１９）までの高さに応じて使い分けることが出来る。
図３で示すように、
係着ワイヤー（２）は、略Ｕの字状のワイヤー体であり、開口部を成す左右末端部数ミリが相反的に左右外側に折れて止軸片（１３）を成し、図１で示すように、その止軸片（１３）がワイヤー取付けアーム（６）の内側対向面から軸支孔（７）に装着され、止軸片（１３）の根元から凭せ掛け面（４）に直交して、ワイヤー取付けアーム（６）の長さ方向に遠ざかって約１０数センチ地点までが靴（１６）踵の後部即ち踵側履き口（１９）を載せ置く載置軸片（１４）を成し、この地点から上方へ立ち上がって、Ｕ字谷の頂点まで約１０数センチ高さ域が、靴（１６）の甲側履き口（２０）から挿入される係着片（１５）を成しているが、
係着ワイヤー（２）の立ち上がり角度即ち折曲角度は、履物の形態により変化し、靴は約９０度、サンダル・スリッパなどは約１２０度に形成したものを使用する。
斯様に形成されたワイヤー体即ち係着ワイヤー（２）が、着脱自在に装着された止軸片（１３）を回転軸として、凭せ掛け面（４）とワイヤーストッパー（８）との間を自在に回動可能な形で基台（１）に結合されている。
【０００９】  図１０で示すのは、２つの基台（１）を横並びに連結し、凭せ掛け面（４）及び取付け面（５）が夫々連続面を成して固着した一体型並列基台（２１）であり、一足分の履物を掛け置く。
このようにして複数の基台（１）を縦並びや横並びに並列して形成された一体型並列基台（２１）で、何足もの履物を掛け置く。
【００１０】  図１１で示すのは、
図５で示す、基台（１）の取付け面（５）と同様の取付け面（５）を、ワイヤー取付けアーム（６）の下側に設け、２方面に取付け面を形成した２方面取付け基台（２２）であり、壁面と同様に、下駄箱の天板や棚などの台面にもピッタリと設置をして動かない。
本発明は以上のような構造である。
本発明を使用する時は、
設置面に取付け面（５）を接地させるのであるが、取付け面（５）の磁石（９）や吸盤（１０）では設置できない木製の設置面などは、基台（１）の四角隅に設けた取付け孔（３）からネジ釘を設置面に打ち固定する。
以下、立面に設置した状態においての使用法を説明する。
靴（１６）の踵を下に向け、甲側履き口（２０）に手を差し入れて持ち、
係着片（１５）のＵ字谷の頂点を靴（１６）の中奥底へ押し込む。
即ち踵側履き口（１９）の方から甲側履き口（２０）の中奥底即ち爪先方向へＵ字谷の頂点が止まるまで挿入し、靴（１６）を凭せ掛け面（４）方向へ押しやると、図６で示すように、靴（１６）は履き口を手前にして、上に向けたつま先の靴底を設置面に接地して安定する。
その時、係着片（１５）は、甲側履き口（２０）を押し上げるようにして靴（１６）中奥底に当たり、靴（１６）を押さえ付けて固定すると同時に、係着片（１５）から約９０度折曲して続く載置軸片（１４）が、踵側履き口（１９）を支え受け持ち、掛け置いた靴（１６）を安定させる。
スリッパ（１８）の場合は、図９で示すように、載置軸片（１４）と係着片（１５）との折曲角度を約１２０度に形成した係着ワイヤー（２）を使用して掛け置く。
また、図８で示すように、踵から踵側履き口（１９）まで約１５センチの高さがあるブーツ（１７）の場合は、図７で示すように、長さ約１６センチのワイヤー取付けアーム（６）を設けた基台（１）を使用する。
この様にして、複数個の基台（１）を上下左右自由に並べて接置すれば何足もの靴（１６）を掛け置く靴置き場が玄関ドアの壁面等に出来あがる。
次ぎに、靴（１６）の取り出しは、
靴（１６）の甲側履き口（２０）に手を差し入れて、靴（１６）を持ち上げるだけで良く、係着ワイヤー（２）は靴（１６）中底奥から抜け落ち、ワイヤーストッパー（８）に凭れかかった状態で保持される。
なお、係着ワイヤー（２）は設置面に立てかけておけばコンパクトになる。
【符号の説明】
【００１１】１  基台、２  係着ワイヤー、３  取付け孔、４  凭せ掛け面、
５  取付け面、６  ワイヤー取付けアーム、７  軸支孔、
８  ワイヤーストッパー、９  磁石、１０  吸盤、
１１  吸盤設置孔、１２  吸盤ボルト軸、
１３  止軸片、１４  載置軸片、１５  係着片、
１６  靴、１７  ブーツ、１８  スリッパ、
１９  踵側履き口、２０  甲側履き口、２１  一体型並列基台、
２２  ２方面取付け基台
【図１】
2019136457.tif 000003
【図２】
2019136457.tif 000004
【図３】
2019136457.tif 000005
【図４】
2019136457.tif 000006
【図５】
2019136457.tif 000007
【図６】
2019136457.tif 000008
【図７】
2019136457.tif 000009
【図８】
2019136457.tif 000010
【図９】
2019136457.tif 000011
【図１０】
2019136457.tif 000012
【図１１】
2019136457.tif 000013